(57)【特許請求の範囲】
【請求項１】
ハウジング（１）と、
前記ハウジング（１）に回動可能に設けられたヒューズキャリア（２）と、
ヒューズ部材（３）と、
を備え、
前記ヒューズキャリア（２）は回動アーム（４）を有しており、該回動アームに収容部材（５）が配置されており、該収容部材の中に前記ヒューズ部材（３）が挿入されており、前記収容部材は、前記ヒューズ部材（３）が、前記回動アーム（４）の長手軸線に対して実質的に９０°の角度で配置された長手軸線（６）を有するように、かつこれにより前記ヒューズ部材（３）が、前記ヒューズキャリア（２）の回動によって、前記ハウジング（１）内に垂直に形成された開口（１９）内に導入されるように構成されており、
前記収容部材（５）は２本のバー部材（１３，１４）を有し、これら２本のバー部材は、互いに対向配置されるとともに、その間に前記ヒューズ部材（３）がクランプ状態に保持されており、
前記２本のバー部材（１３，１４）が各々、前記ヒューズ部材をクランプするためのラッチ係合領域（１７、１８）を有してなるヒューズ端子。 
【請求項２】
請求項１記載のヒューズ端子において、前記ハウジング（１）は、前記ヒューズ部材（３）が前記開口（１９）内に導入された状態にあるときに、前記ヒューズ部材の第１端部（２２）に接触する第１接触子（２０）と、前記ヒューズ部材（３）が前記開口（１９）内に導入された状態にあるときに、ヒューズ部材（３）における前記第１端部（２２）と反対側に位置する第２端部（２３）と接触する第２接触子（２１）と、を備えることを特徴とするヒューズ端子。 
【請求項３】
請求項２記載のヒューズ端子において、前記第１接触子（２０）及び前記第２接触子（２１）は略ｕ字状をなし、かつ前記第１接触子（２０）及び前記第２接触子（２１）は、ヒューズ部材が導入された状態において、前記ヒューズ部材（３）の周囲に、その外周に沿って係合することを特徴とするヒューズ端子。 
【請求項４】
請求項３記載のヒューズ端子において、略Ｕ字状の前記第１接触子（２０）及び略Ｕ字状の前記第２接触子（２１）は、各々前記ヒューズ部材（３）を受け入れるための導入口を有し、前記ヒューズ部材（３）は該導入口を介して前記第１接触子（２０）及び前記第２接触子（２１）内に導かれ、前記第１接触子（２０）の前記導入口の断面が、前記第２接触子（２１）の前記導入口の断面と直交するよう形成されてなる、ヒューズ端子。 
【請求項５】
請求項１ないし４の何れか一項記載のヒューズ端子において、前記ヒューズキャリア（２）が、前記回動アーム（４）に配されたグリップ部材（１０）を有してなるヒューズ端子。 
【請求項６】
請求項１ないし５の何れか一項記載のヒューズ端子において、前記ヒューズキャリア（２）が縞様の表面を有してなるヒューズ端子。
【発明の詳細な説明】
【技術分野】
【０００１】
本発明はヒューズ端子 (fuse terminal) に関する。
【背景技術】
【０００２】
ヒューズ端子は、支持レール上に複数、互いに隣り合うよう配列することが可能なもので、開閉装置あるいは開閉器ステーションにおけるメインの制御回路、制御手段、及び機器に対し必要なヒューズ保護を提供するものである。従ってヒューズ端子の役目は、保護の提供及び電位の分配である。
【０００３】
従来、ヒューズ端子としては、例えば、ヒューズ部材がねじキャップを有し、このねじキャップがヒューズ端子のハウジング内に垂直にねじ込まれてなる構成のものが開示されている。これは、１２ｍｍ以上の大きな端子スペースを必要とするといった欠点を有している。また、ヒューズ端子へのヒューズ部材の取付け、そこからの取外しは手間を要す。
【発明の概要】
【発明が解決しようとする課題】
【０００４】
従って本発明の目的は、端子スペースを減少でき、かつ取り扱いの簡単なヒューズ端子を提供することにある。
【課題を解決するための手段】
【０００５】
導入部においてより詳細に説明したタイプのヒューズ端子の場合、上記の目的は、本発明による、ハウジングと、該ハウジングに回動可能に設けられたヒューズキャリアと、ヒューズ部材と、を備え、ヒューズキャリアが回動アームを有しており、回動アームに収容部材が配置されており、収容部材の中に前記ヒューズ部材が挿入されており、前記収容部材は、前記ヒューズ部材が、前記回動アームの長手軸線に対して実質的に９０°の角度で配置された長手軸線を有するように、かつこれにより、前記ヒューズ部材が、前記ヒューズキャリアの回動によって、前記ハウジング内に垂直に形成された開口内に導入されるように構成されてなるヒューズ端子、によって達成される。
【０００６】
本発明の好適な構成及び有利な発展形は引用請求項に記載してある。
【０００７】
本発明によるヒューズ端子は、ヒューズ部材がもはや、ハウジングに形成された開口内にスクリューキャップによってねじ込まれずに、ヒューズキャリアの回動アームによって開口内に回動して行き、これよってヒューズ部材が該ハウジングの開口内に位置決めされるという点に特徴を有する。このために、ヒューズ部材は、回動アームに形成された収容部材内に配置される。ヒューズキャリア又は該ヒューズキャリアの回動アームは、ハウジングに対し回動可能に配置あるいは取付けされ、かつこのために、ヒューズキャリアの収容部材内に配置されたヒューズ部材は、例えこのヒューズ部材がハウジングの開口内に導入されていなくとも、ヒューズキャリアによって捕捉された状態でハウジングに直接設けられる。また、ヒューズ部材をヒューズキャリアを介してハウジングに回動可能に配することにより、ヒューズ部材をハウジングの開口内に導入する際の、及び同開口内から引き出す際の扱いは簡単になる。収容部材は、これと共にヒューズ部材をハウジングの開口内に導入するものであって、好ましくヒューズ部材の外形及び／又は外径に適合している。このため、このヒューズ端子内での、前記収容部材のために追加すべき設置空間は最小限に留めることできる。収容部材は、好ましくは、ヒューズ部材の全外周面は覆わず一部領域のみを囲むケージ（籠）状に構成されている。本発明によれば、ヒューズ部材は（従って収容部材も）、回動アームの長手軸線に対して約９０°となる長手軸線を有しており、従って、ヒューズ部材は回動してハウジング内に垂直に配置されるようになる。ヒューズ部材がハウジング内に垂直に配置されることによって、該ヒューズ端子の幅寸法がヒューズ部材の影響を受けることがほとんどなく、この幅の最小化によって該ヒューズ端子の全体寸法をできるだけ小さくできる。ヒューズ部材をハウジング内に垂直に配置することは、ヒューズ部材が、ヒューズ端子のハウジングの上部側面及び下部側面に対して９０°の角度となる長手軸線を有することを意味する。ここで、該ヒューズ端子は、前記上部側面及び下部側面により、支持レール上にラッチ取り付けされる。同様なことがハウジングに垂直に形成された開口にも当てはまる。従って、本発明によるヒューズ端子によれば、ヒューズ端子の端子部スペースを小さくして取り扱いを容易にするとともに、ヒューズ端子全体のサイズを可能な限り小さくすることができる。また、これら複数のヒューズ端子を、既存の端子型シリーズにおける同一の形態に統合することができる。
【０００８】
本発明の好ましい実施形態によれば、ハウジングは、ヒューズ部材が前記開口内に導入された状態にあるときに、前記ヒューズ部材の第１端部に接触する第１接触子と、前記ヒューズ部材が前記開口内に導入された状態にあるときに、ヒューズ部材における前記第１端部と反対側に位置する第２端部と接触する第２接触子と、を備える。好ましくは、前記二つの接触子はそれぞれ導体接続体に接続されている。導体接続体は、例えば、ネジ結合体又は半田結合体の形態とすることができる。好ましくは、この接続は、一の接触子から、該接触子に関わる導体接続体にまで延在して前記導体接続体内に好ましく突出した金属ストリップによって達成されている。従って、前記金属ストリップ（つまり接触子）は、該金属ストリップを介して、前記導体接続体内に導入された導体に直接接触することになる。金属接触キャップがヒューズ部材の前記第１端部及び第２端部に設けられており、該金属接触キャップに前記接触子が接触状態に当接できるようになっている。このため２つの接触子が接触することができ、従って２つ導体接触体がヒューズ部材に接触する。
【０００９】
また、前記第１接触子及び前記第２接触子は略Ｕ字状をなし、かつ前記第１接触子及び前記第２接触子は、ヒューズ部材の導入状態において、前記ヒューズ部材の周囲に、その外周に沿って係合する構成とされている。ここで、接触子は、好ましくは、Ｕ字状に曲げられた金属ストリップ又は金属バンドから形成される。接触子をＵ字状とすることによって、さらなる部品を付加することなく、ヒューズ部材を接触子内で、２つのＵ字形接触アームの間にクランプ状態に保持することができる。このように前記接触子は直線的な形態を備えることを特徴としている。同時に、該接触子は、Ｕ字状接触子によって、接触子とヒューズ部材との間の信頼性の高い接触を保障することが可能である。ここにおいて、Ｕ字状接触子は、導入された状態にあるヒューズ部材の外周に沿って該ヒューズ部材の周囲に係合するものであり、この外周は、好ましくはヒューズ部材の両端部に配置された接触キャップによって形成されたものとなっている。
【００１０】
さらに、好ましくは、略Ｕ字状の前記第１接触子及び略Ｕ字状の前記第２接触子は、各々前記ヒューズ部材を受け入れるための導入口を有し、該導入口を介して前記ヒューズ部材は前記第１接触子及び前記第２接触子内に導かれ、前記第１接触子の前記導入口の断面が、前記接触子の前記導入口の断面と直交するよう形成されている。従って、好ましくは、第１接触子の導入口及び第２接触子の導入口は同じ方向には向けられておらず、互いに９０°の角度を形成した方向を向いている。ここで、上述の２つの接触子は、好ましくは以下の如くハウジング内に配置されている。すなわち、ヒューズ部材が、該ヒューズ部材が導入された状態において、その第１端部に前記第１接触子が当接する端側面を有し、これにより第１接触子がヒューズ部材の周囲に長手軸線に沿って係合するようになされる。対して、第２接触子は、ヒューズ部材の周囲に、長手軸線と交差する方向に係合する。それ故、ヒューズ部材は、導入された状態においては、長手側面が第２接触子に当接する。このためヒューズ部材は２つの接触子によって保持され、特に、該ヒューズ端子の搬送中や振動に対しても信頼性の高い接触が補償されるよう、滑りに対してしっかりとした保持が補償される。
【００１１】
収容部材は、好ましくは、互いに対向配置された２つのバー部材を備えて、これら２つのバーの間にヒューズ部材がクランプ状態に保持される構成とされる。収容部材が事実上２つのバー部材から構成されているので、収容部材によって覆われるヒューズ部材の外周面はかなり小さい領域に制限される。このため、ヒューズ部材が前記接触子と接触できる接触面積を最大限大きくできる。また、収容部材はこのようにまっすぐな形状をしているため、僅かな装着空間のみを必要とし、かつ、ヒューズ部材を容易に収容部材内に導入すること、そして収容部材から取り外すことができる。
【００１２】
ヒューズ部材が保持部材に確実に保持されるように、好ましくは、前記２つのバー部材はそれぞれ、ヒューズ部材をクランプするためのラッチ係合領域を有している。
【００１３】
さらに、このヒューズ端子がユーザによって扱い易いものとするために、該ヒューズの前記回動アームにはグリップ部材が設けられていることが好ましい。該グリップ部材は、好ましくは回動アームの自由端に配されており、好ましくは、回動アームの長手軸線に対して所定の角度、好ましくは５°〜６０°の角度をつけて設けられたバーの形態とされている。該グリップ部材はまた、好ましくはリブ付きの側面を有しており、これにより、該ヒューズキャリアの動作中における該グリップ部材の滑りを防止して、該ヒューズ端子の操作性を向上させている。
【００１４】
加えて、本発明の好ましい実施形態では、ヒューズキャリアが縞様の表面を有しており、これにより該ヒューズ端子を識別することができる。この縞様表面は、好ましくはヒューズキャリアの回動アームに形成され、このためユーザによってはっきりと認識される。
【００１５】
以下、本発明の好ましい実施形態を添付の図面を参照して詳細に説明する。
【図面の簡単な説明】
【００１６】
【図１】本発明のヒューズ端子を、を３つの異なる位置にあるヒューズ支持体と共に示す概略側面図である。
【図２】図１に示したヒューズ端子の概略斜視図である。
【発明を実施するための形態】
【００１７】
図１及び図２は本発明によるヒューズ端子を示すもので、図２は、この場合、支持レール３２上に並列配置された３つのヒューズ端子を示している。各ヒューズ端子は、ハウジング１、特に絶縁材料から成るハウジングと、該ハウジング１に回動可能に設けられたヒューズキャリア２と、該ヒューズキャリア２内に配設されたヒューズ部材３と、を有している。ヒューズキャリア２は回動アーム４を有し、この回動アーム４に収容部材５が取り付けられている。収容部材５には前記ヒューズ部材３が挿入されている。収容部材５は、ヒューズ部材３の長手軸線６が前記回動アーム４の長手軸線に対して９０°の角度をなすように、回動アーム４に取り付けられている。ヒューズキャリア２の回動アーム４は第１端部８及び第２端部９を有しており、第１端部８が前記ハウジング１に対し回転可能に取り付けられている。回動アーム４の第２端部９は前記第１端部８の反対側に位置しており、該第２端部９にはグリップ部材１０が設けられている。回動アーム４は、細長く、かつ前記ハウジング１の幅にほぼ等しい幅を有したバー又はブラケットの形状をしたもので、これにより該回動アーム４はハウジング１の上側を覆うことができる。前記回動アーム４、収容部材５、及びグリップ部材１０は、非導電性プラスチック材料よりなる。前記収容部材５は前記回動アーム４の下面１２に構成されており、この下面は、ハウジング１内に導入された状態にあるヒューズ部材３とともにハウジング１の上側に載る。
【００１８】
前記収容部材５は矩形構造を有し、互いに平行となる２本のバー部材１３，１４を主要構成要素としており、これら２本のバー部材間に、前記ヒューズ部材３がクランプ状態に保持される。この２本のバー部材１３，１４は、ヒューズ部材３の長手側面に沿って延在している。この２本のバー部材１３，１４は、第１接続バー１５と、該第１接続バー１５に対向して位置した第２接続バー１６に接続されており、ヒューズ部材３の端部側面が各接続バー１５，１６に当接している。前記２本のバー部材１３，１４の間の領域は空いており、従って、ヒューズ部材の長手側面のこの空いた領域については、収容部材５によって覆われない構成となっている。ヒューズ部材３がカバー部材５にしっかりと保持されるように、２本のバー部材１３，１４はそれぞれ、ヒューズ部材３を挟むためのラッチ係合領域 (latching-in region) １７，１８を有している。これら双方のラッチ係合領域１７，１８は、互いに対向して、前記２本のバー部材１３，１４に形成されている。これら２つのラッチ係合領域１７，１８はそれぞれ２つのバー部材１３，１４よりも幅広とされており、このため、該ラッチ係合領域１７，１８においては、ヒューズ部材３の相対的に大きな表面積がカバーされ、かつ該外周面に当接する。前記ヒューズ部材３の方向に方向付けられた前記ラッチ係合領域１７，１８の面はカーブしており、かつそのためにラッチ係合領域１７，１８はヒューズ部材３の外周面に適合し、従ってヒューズ部材３は、前記収容部５内に、傾くことなく固定される。前記ラッチ係合領域１７，１８は、ヒューズ部材３を中心に保持できる位置に形成されている。
【００１９】
図１及び図２は、異なる３つの位置にあるヒューズキャリア２を示している。第１の位置Ａでは、ヒューズキャリア２はハウジング１の上部側面１１から立ち上がっている。位置Ｂでは、ヒューズキャリア２は中間位置とされる。位置Ｃでは、ヒューズキャリア２の回動アーム４はハウジング１の上部側面１１上に載り、かつ収容部材５は、ハウジング１内に垂直に形成された開口１９の内部に、ヒューズ部材３と共に導入されている。従って位置Ｃは、導入状態にあるヒューズ部材３を示している。この導入状態において、ヒューズ部材３は、完全にハウジング１内に導入され、あるいは組み入れられ、この位置Ｃでは、ハウジング１の上部側面１１に対して直角に、すなわち９０°の角度で、配置される。
【００２０】
ハウジング１は、前記開口１９の領域に、第１接触子２０及び第２接触子２１を有しており、前記導入状態にあるときに、第１接触子２０がヒューズ部材３の第１端部２２に、第２接触子２１がヒューズ部材３の第２端部２３に接触する。第２端部２３は第１端部２２と反対側にある。好ましくは、接触が確実になされるよう、ヒューズ部材３の第１端部２２及び第２端部２３には接触キャップが設けられており、接触状態では上記の２つの接触子２０，２１はこの接触キャップに当接するものとなる。
【００２１】
前記第１接触子２０及び第２接触子２１は事実上Ｕ字形のもので、このため、接触状態では、これら接触子はヒューズ部材３の外周囲あるいは外周面に係合する。第１及び第２の接触子２０，２１は何れも金属ストリップ又は金属バンドから形成され、Ｕ字状に曲げられる。これらＵ字状の接触子２０，２１は何れも導入口を有しており、前記ヒューズキャリア２が回動した際に、この導入口から、ヒューズ部材３が前記第１接触子２０及び第２接触子２１内に導かれる。第１接触子２０の導入口の断面は、第２接触子２１の導入口の断面に対して直交する関係にある。２つの前記接触子２０，２１は以下の如くハウジング１内に構成されている。すなわち、前記導入状態において、ヒューズ部材３の第１端部２２の端側面が前記第１接触子２０に接触し、かつ第１接触子２０のＵ字内に導入されるようになされ、これにより、第１の接触子２０がヒューズ部材３に、その長手軸線６に沿って係合するように構成されている。対して、前記第２接触子２１は、長手軸線６と交差する方向にヒューズ部材３の周囲に係合し、このためヒューズ部材３は、前記導入状態において第２接触子２１に当接する長手側面を有するものとなる。
【００２２】
前記第１接触子２０は、金属ストリップ２４を介して、第１の導体接続体 (conductor-connection body) ２５に接続されている。前記第２接触子２１は、金属ストリップ２６を介して、第２の導体接続体２７に接続されている。これら金属ストリップ２４，２６の長さは、導体をクランプ可能に前記導体接続体２５，２７にそれぞれ形成された開口２８，２９によって該金属ストリップがガイドされ、かつ前記開口から突出するように構成されている。
【００２３】
図２に示すように、前記ヒューズ端子の前記ハウジング１は、ラッチマウント３０によって支持レール３２にラッチ式に取り付けられる。
【００２４】
前記ヒューズキャリア２の前記グリップ部材１０は、前記回動アーム４に、該回動アーム４の長手軸線７に対して所定の角度で、好ましくは５〜６０°の角度となるように構成されている。使用者に対するグリップ部材１０の操作性をより良くするために、グリップ部材１０は線条の形成された側面３１を有している。これにより、前記ヒューズキャリア２を操作する際に該グリップ部材１０のスリップが防止される。
【符号の説明】
【００２５】
１  ハウジング
２  ヒューズキャリア
３  ヒューズ部材
４  回動アーム
５  収容部材
６  収容部材の長手軸線
１０  グリップ部材
１３，１４  ２本のバー部材
１７，１８  ラッチ係合領域
１９  開口
２０  第１接触子
２１  第２接触子
２２  ヒューズ部材の第１端部
２３  ヒューズ部材の第２端部
【図１】
0005499116.tif 000002
【図２】
0005499116.tif 000003